(57)【特許請求の範囲】
【請求項１】
移動体端末のＲＦアクティビティを同期化する方法において、
前記移動体端末内の複数のＲＦモジュール間の調停をするように構成されているＲＦアクティビティ掲示板で伝送アクティビティに関連する通知を受け取ることと、
前記通知を中継するために前記複数のＲＦモジュールのうちの少なくとも１つを判定することと、
前記複数のＲＦモジュールのうちの少なくとも１つに前記通知を前記ＲＦアクティビティ掲示板で中継することと、ここで、前記複数のＲＦモジュールの前記少なくとも１つが、フィルタの基準に合格する通知だけが前記ＲＦモジュールに中継されるように、通知のための前記基準を構成する前記フィルタを提供する、
前記ＲＦアクティビティ掲示板に前記複数のＲＦモジュールのリストを維持することと
を備える方法。
【請求項２】
前記リストは、前記複数のＲＦモジュールのそれぞれに関する通知に関する判断基準を備える、請求項１に記載の方法。
【請求項３】
前記判断基準は、テクノロジタイプ、伝送開始時刻、伝送終了時刻、伝送の持続時間、伝送電力レベル、または伝送周波数帯というパラメータのうちの１つまたは複数を備える、請求項２に記載の方法。
【請求項４】
前記通知を前記複数のＲＦモジュールのそれぞれに関する前記判断基準と比較することをさらに備える、請求項２に記載の方法。
【請求項５】
前記通知を中継するために前記複数のＲＦモジュールのうちの前記少なくとも１つを判定することが前記複数のＲＦモジュールのそれぞれのための前記基準と前記通知を比較して得られる比較結果を使用する、請求項３に記載の方法。
【請求項６】
前記通知は、テクノロジタイプ、伝送開始時刻、伝送終了時刻、伝送の持続時間、伝送電力レベル、または伝送周波数帯というパラメータのうちの１つまたは複数を備える、請求項１に記載の方法。
【請求項７】
中継された前記通知を受け取ることと、中継された前記通知に反応することとをさらに備える、請求項１に記載の方法。
【請求項８】
前記反応することは、ＬＮＡ利得を変更すること、直線性を高めること、受信時刻を再スケジューリングすること、受信モードをオフに切り替えること、または干渉に対する受信モード感度を変更することのうちの１つまたは複数を備える、請求項７に記載の方法。
【請求項９】
前記複数のＲＦモジュールのうちの少なくとも１つは、受信機を備え、前記複数のＲＦモジュールのうちの他の少なくとも１つは、送信機を備える、請求項７に記載の方法。
【請求項１０】
前記送信機は、前記通知を生成する、請求項９に記載の方法。
【請求項１１】
前記受信機は、前記通知を受け取り、前記通知に反応する、請求項１０に記載の方法。
【請求項１２】
前記受信機は、低雑音増幅器（ＬＮＡ）利得を変更すること、直線性を高めること、ノッチフィルタを活性化すること、受信時刻を再スケジューリングすること、受信モードをオフに切り替えること、または干渉に対する受信モード感度を変更することのうちの１つまたは複数によって前記通知に反応する、請求項１１に記載の方法。
【請求項１３】
前記受信機は、前記通知を生成し、前記通知は、伝送アクティビティを伴わないクリーン期間の要求を備える、請求項９に記載の方法。
【請求項１４】
前記送信機は、前記通知を受け取り、前記クリーン期間の持続時間中以外にその伝送アクティビティをスケジューリングすることまたは来るべき既知の伝送アクティビティの繰上通知を送出することによって前記通知に反応する、請求項１３に記載の方法。
【請求項１５】
前記複数のＲＦモジュールのうちの少なくとも１つは、第１送信機を備え、前記複数のＲＦモジュールのうちの他の少なくとも１つは、第２送信機を備える、請求項７に記載の方法。
【請求項１６】
前記第１送信機は、前記通知を生成する、請求項１５に記載の方法。
【請求項１７】
前記第２送信機は、前記通知を受け取り、その伝送アクティビティを再スケジューリングすることまたはそのピーク電力消費を減らすことによって前記通知に反応する、請求項１６に記載の方法。
【請求項１８】
前記複数のＲＦモジュールのうちの少なくとも１つは、Ｂｌｕｅｔｏｏｔｈ、全地球測位システム（ＧＰＳ）、Ｎｅａｒ  Ｆｉｅｌｄ  Ｃｏｍｍｕｎｉｃａｔｉｏｎｓ（ＮＦＣ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ（ＵＭＴＳ）、符号分割多元接続（ＣＤＭＡ）、符号分割多元接続／Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ／Ｇｌｏｂａｌ  Ｓｙｓｔｅｍ  ｆｏｒ  Ｍｏｂｉｌｅ  ｃｏｍｍｕｎｉｃａｔｉｏｎｓ（ＣＤＭＡ／ＵＭＴＳ／ＧＳＭ）、Ｅｖｏｌｕｔｉｏｎ  Ｄａｔａ  Ｏｐｔｉｍｉｚｅｄ／Ｈｉｇｈ  Ｓｐｅｅｄ  Ｐａｃｋｅｔ  Ａｃｃｅｓｓ（ＥＶＤＯ／ＨＳＰＡ）、Ｗｉ−Ｆｉ（商標）、Ｕｌｔｒａ  Ｗｉｄｅ  Ｂａｎｄ（ＵＷＢ）、ディジタルＴＶ、ＦＭラジオ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、または無線ローカルエリアネットワーク（ＷＬＡＮ）というテクノロジのうちの１つまたは複数を使用する、請求項１に記載の方法。
【請求項１９】
前記複数のＲＦモジュールは、単一のプリント回路基板（ＰＣＢ）内で同一位置に置かれる、請求項１に記載の方法。
【請求項２０】
ＲＦアクティビティ掲示板は、前記単一のプリント回路基板（ＰＣＢ）内で前記複数のＲＦモジュールと共に同一位置に置かれる、請求項１９に記載の方法。
【請求項２１】
ＲＦアクティビティ掲示板は、専用プロセッサを備える、請求項１に記載の方法。
【請求項２２】
複数のＲＦモジュールと、
移動体端末内の前記複数のＲＦモジュール間の調停をするように構成されていて、伝送アクティビティに関連する通知を受け取り、前記通知を中継するために前記複数のＲＦモジュールのうちの少なくとも１つを判定し、前記複数のＲＦモジュールのうちの少なくとも１つに前記通知を中継するＲＦアクティビティ掲示板と
を備え、
ここで、前記複数のＲＦモジュールの前記少なくとも１つが、フィルタの基準に合格する通知だけが前記ＲＦモジュールに中継されるように、通知のための前記基準を構成する前記フィルタを提供する、
ＲＦアクティビティを同期化するための特徴を有する移動体端末。
【請求項２３】
前記ＲＦアクティビティ掲示板は、前記複数のＲＦモジュールのリストを維持する、請求項２２に記載の移動体端末。
【請求項２４】
前記リストは、前記複数のＲＦモジュールのそれぞれに関する通知に関する判断基準を備える、請求項２３に記載の移動体端末。
【請求項２５】
前記判断基準は、テクノロジタイプ、伝送開始時刻、伝送終了時刻、伝送の持続時間、伝送電力レベル、または伝送周波数帯というパラメータのうちの１つまたは複数を備える、請求項２４に記載の移動体端末。
【請求項２６】
前記ＲＦアクティビティ掲示板は、前記通知を前記複数のＲＦモジュールのそれぞれに関する前記判断基準と比較する、請求項２４に記載の移動体端末。
【請求項２７】
前記ＲＦアクティビティ掲示板は、前記通知を中継するために前記複数のＲＦモジュールのうちの少なくとも１つを判定する際に、前記通知と前記判断基準との比較結果を使用する、請求項２６に記載の移動体端末。
【請求項２８】
前記通知は、テクノロジタイプ、伝送開始時刻、伝送終了時刻、伝送の持続時間、伝送電力レベル、または伝送周波数帯というパラメータのうちの１つまたは複数を備える、請求項２２に記載の移動体端末。
【請求項２９】
前記複数のＲＦモジュールのうちの１つは、中継された前記通知を受け取り、中継された前記通知に反応する、請求項２２に記載の移動体端末。
【請求項３０】
前記複数のＲＦモジュールのうちの１つは、中継された前記通知を受け取る受信機を備え、前記複数のＲＦモジュールのうちの別の１つは、送信機を備える、請求項２２に記載の移動体端末。
【請求項３１】
前記送信機は、前記通知を生成する、請求項３０に記載の移動体端末。
【請求項３２】
前記受信機は、低雑音増幅器（ＬＮＡ）利得を変更すること、直線性を高めること、ノッチフィルタを活性化すること、受信時刻を再スケジューリングすること、受信モードをオフに切り替えること、または干渉に対する受信モード感度を変更することのうちの１つまたは複数によって前記通知に反応する、請求項３１に記載の移動体端末。
【請求項３３】
前記複数のＲＦモジュールのうちの１つは、受信機を備え、前記複数のＲＦモジュールのうちの別の１つは、送信機を備える、請求項２２に記載の移動体端末。
【請求項３４】
前記受信機は、前記通知を生成し、前記通知は、伝送アクティビティを伴わないクリーン期間の要求を備える、請求項３３に記載の移動体端末。
【請求項３５】
前記送信機は、前記通知を受け取り、前記クリーン期間の持続時間中以外にその伝送アクティビティをスケジューリングすることまたは来るべき既知の伝送アクティビティの繰上通知を送出することによって前記通知に反応する、請求項３４に記載の移動体端末。
【請求項３６】
前記複数のＲＦモジュールのうちの１つは、第１送信機を備え、前記複数のＲＦモジュールのうちの別の１つは、第２送信機を備える、請求項２２に記載の移動体端末。
【請求項３７】
前記第１送信機は、前記通知を生成する、請求項３６に記載の移動体端末。
【請求項３８】
前記第２送信機は、前記通知を受け取り、その伝送アクティビティを再スケジューリングすることまたはそのピーク電力消費を減らすことによって前記通知に反応する、請求項３７に記載の移動体端末。
【請求項３９】
前記複数のＲＦモジュールのうちの少なくとも１つは、Ｂｌｕｅｔｏｏｔｈ、全地球測位システム（ＧＰＳ）、Ｎｅａｒ  Ｆｉｅｌｄ  Ｃｏｍｍｕｎｉｃａｔｉｏｎｓ（ＮＦＣ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ（ＵＭＴＳ）、符号分割多元接続（ＣＤＭＡ）、符号分割多元接続／Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ／Ｇｌｏｂａｌ  Ｓｙｓｔｅｍ  ｆｏｒ  Ｍｏｂｉｌｅ  ｃｏｍｍｕｎｉｃａｔｉｏｎｓ（ＣＤＭＡ／ＵＭＴＳ／ＧＳＭ）、Ｅｖｏｌｕｔｉｏｎ  Ｄａｔａ  Ｏｐｔｉｍｉｚｅｄ／Ｈｉｇｈ  Ｓｐｅｅｄ  Ｐａｃｋｅｔ  Ａｃｃｅｓｓ（ＥＶＤＯ／ＨＳＰＡ）、Ｗｉ−Ｆｉ（商標）、Ｕｌｔｒａ  Ｗｉｄｅ  Ｂａｎｄ（ＵＷＢ）、ディジタルＴＶ、ＦＭラジオ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、または無線ローカルエリアネットワーク（ＷＬＡＮ）というテクノロジのうちの１つまたは複数を使用する、請求項２２に記載の移動体端末。
【請求項４０】
前記複数のＲＦモジュールは、単一のプリント回路基板（ＰＣＢ）内で同一位置に置かれる、請求項２２に記載の移動体端末。
【請求項４１】
ＲＦアクティビティ掲示板は、前記単一のプリント回路基板（ＰＣＢ）内で前記複数のＲＦモジュールと共に同一位置に置かれる、請求項４０に記載の移動体端末。
【請求項４２】
ＲＦアクティビティ掲示板は、専用プロセッサを備える、請求項２２に記載の移動体端末。
【請求項４３】
プロセッサおよびメモリを備えていてＲＦアクティビティを同期化する特徴を有している移動体端末であって、
前記移動体端末内の複数のＲＦモジュール間の調停をするように構成されているＲＦアクティビティ掲示板で伝送アクティビティに関連する通知を受け取ることと、
前記通知を中継するために前記複数のＲＦモジュールのうちの少なくとも１つを判定することと、
前記複数のＲＦモジュールのうちの少なくとも１つに前記通知を中継することと、ここで、前記複数のＲＦモジュールの前記少なくとも１つが、フィルタの基準に合格する通知だけが前記ＲＦモジュールに中継されるように、通知のための前記基準を構成する前記フィルタを提供する、
を実行するために前記プロセッサによって実行可能なプログラムコードを前記メモリが含んでいる移動体端末。
【請求項４４】
前記メモリは、前記複数のＲＦモジュールのリストを維持するプログラムコードをさらに備える、請求項４３に記載の移動体端末。
【請求項４５】
前記リストは、前記複数のＲＦモジュールのそれぞれに関する通知に関する判断基準を備える、請求項４４に記載の移動体端末。
【請求項４６】
前記判断基準は、テクノロジタイプ、伝送開始時刻、伝送終了時刻、伝送の持続時間、伝送電力レベル、または伝送周波数帯というパラメータのうちの１つまたは複数を備える、請求項４５に記載の移動体端末。
【請求項４７】
前記メモリは、前記通知を前記複数のＲＦモジュールのそれぞれに関する前記判断基準と比較するプログラムコードをさらに備える、請求項４５に記載の移動体端末。
【請求項４８】
判定する前記プログラムコードは、比較結果を使用するプログラムコードをさらに備える、請求項４７に記載の移動体端末。
【請求項４９】
前記通知は、テクノロジタイプ、伝送開始時刻、伝送終了時刻、伝送の持続時間、伝送電力レベル、または伝送周波数帯というパラメータのうちの１つまたは複数を備える、請求項４３に記載の移動体端末。
【請求項５０】
前記メモリは、中継された前記通知を受け取るプログラムコードと、中継された前記通知に反応するプログラムコードとをさらに備える、請求項４３に記載の移動体端末。
【請求項５１】
反応する前記プログラムコードは、低雑音増幅器（ＬＮＡ）利得を変更すること、直線性を高めること、ノッチフィルタを活性化すること、受信時刻を再スケジューリングすること、受信モードをオフに切り替えること、または干渉に対する受信モード感度を変更することのうちの１つまたは複数のためのプログラムコードをさらに備える、請求項５０に記載の移動体端末。
【請求項５２】
前記複数のＲＦモジュールのうちの少なくとも１つは、受信機を備え、前記複数のＲＦモジュールのうちの他の少なくとも１つは、送信機を備える、請求項５０に記載の移動体端末。
【請求項５３】
前記送信機は、前記通知を生成する、請求項５２に記載の移動体端末。
【請求項５４】
前記受信機は、前記通知を受け取り、前記通知に反応する、請求項５３に記載の移動体端末。
【請求項５５】
前記受信機は、低雑音増幅器（ＬＮＡ）利得を変更すること、直線性を高めること、ノッチフィルタを活性化すること、受信時刻を再スケジューリングすること、受信モードをオフに切り替えること、または干渉に対する受信モード感度を変更することのうちの１つまたは複数によって前記通知に反応する、請求項５４に記載の移動体端末。
【請求項５６】
前記受信機は、前記通知を生成し、前記通知は、伝送アクティビティを伴わないクリーン期間の要求を備える、請求項５２に記載の移動体端末。
【請求項５７】
前記送信機は、前記通知を受け取り、前記クリーン期間の持続時間中以外にその伝送アクティビティをスケジューリングすることまたは来るべき既知の伝送アクティビティの繰上通知を送出することによって前記通知に反応する、請求項５６に記載の移動体端末。
【請求項５８】
前記複数のＲＦモジュールのうちの少なくとも１つは、第１送信機を備え、前記複数のＲＦモジュールのうちの他の少なくとも１つは、第２送信機を備える、請求項５０に記載の移動体端末。
【請求項５９】
前記第１送信機は、前記通知を生成する、請求項５８に記載の移動体端末。
【請求項６０】
前記第２送信機は、前記通知を受け取り、その伝送アクティビティを再スケジューリングすることまたはそのピーク電力消費を減らすことによって前記通知に反応する、請求項５９に記載の移動体端末。
【請求項６１】
前記複数のＲＦモジュールのうちの少なくとも１つは、Ｂｌｕｅｔｏｏｔｈ、全地球測位システム（ＧＰＳ）、Ｎｅａｒ  Ｆｉｅｌｄ  Ｃｏｍｍｕｎｉｃａｔｉｏｎｓ（ＮＦＣ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ（ＵＭＴＳ）、符号分割多元接続（ＣＤＭＡ）、符号分割多元接続／Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ／Ｇｌｏｂａｌ  Ｓｙｓｔｅｍ  ｆｏｒ  Ｍｏｂｉｌｅ  ｃｏｍｍｕｎｉｃａｔｉｏｎｓ（ＣＤＭＡ／ＵＭＴＳ／ＧＳＭ）、Ｅｖｏｌｕｔｉｏｎ  Ｄａｔａ  Ｏｐｔｉｍｉｚｅｄ／Ｈｉｇｈ  Ｓｐｅｅｄ  Ｐａｃｋｅｔ  Ａｃｃｅｓｓ（ＥＶＤＯ／ＨＳＰＡ）、Ｗｉ−Ｆｉ（商標）、Ｕｌｔｒａ  Ｗｉｄｅ  Ｂａｎｄ（ＵＷＢ）、ディジタルＴＶ、ＦＭラジオ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、または無線ローカルエリアネットワーク（ＷＬＡＮ）というテクノロジのうちの１つまたは複数を使用する、請求項４３に記載の移動体端末。
【請求項６２】
前記複数のＲＦモジュールは、単一のプリント回路基板（ＰＣＢ）内で同一位置に置かれる、請求項４３に記載の移動体端末。
【請求項６３】
ＲＦアクティビティ掲示板は、前記単一のプリント回路基板（ＰＣＢ）内で前記複数のＲＦモジュールと共に同一位置に置かれる、請求項６２に記載の移動体端末。
【請求項６４】
ＲＦアクティビティ掲示板は、専用プロセッサを備える、請求項４３に記載の移動体端末。
【請求項６５】
ＲＦアクティビティを同期化する特徴を有する移動体端末において、
前記移動体端末内の複数のＲＦモジュール間の調停をするように構成されているＲＦアクティビティ掲示板を有していて伝送アクティビティに関連する通知を受け取るための手段と、
前記通知を中継するために前記複数のＲＦモジュールのうちの少なくとも１つを判定するための手段と、
前記複数のＲＦモジュールのうちの少なくとも１つに前記通知を中継するための手段と
を備え、
ここで、前記複数のＲＦモジュールの前記少なくとも１つが、フィルタの基準に合格する通知だけが前記ＲＦモジュールに中継されるように、通知のための前記基準を構成する前記フィルタを提供する、
ＲＦアクティビティを同期化する特徴を有する移動体端末。
【請求項６６】
前記複数のＲＦモジュールのリストを維持するための手段をさらに備える、請求項６５に記載の移動体端末。
【請求項６７】
前記リストは、前記複数のＲＦモジュールのそれぞれに関する通知に関する判断基準を備え、前記判断基準は、テクノロジタイプ、伝送開始時刻、伝送終了時刻、伝送の持続時間、伝送電力レベル、または伝送周波数帯というパラメータのうちの１つまたは複数を備える、請求項６６に記載の移動体端末。
【請求項６８】
前記通知を前記複数のＲＦモジュールのそれぞれに関する前記判断基準と比較するための手段をさらに備える、請求項６７に記載の移動体端末。
【請求項６９】
前記通知は、テクノロジタイプ、伝送開始時刻、伝送終了時刻、伝送の持続時間、伝送電力レベル、または伝送周波数帯というパラメータのうちの１つまたは複数を備える、請求項６５に記載の移動体端末。
【請求項７０】
中継された前記通知を受け取るための手段と、中継された前記通知に反応するための手段とをさらに備える、請求項６５に記載の移動体端末。
【請求項７１】
反応するための前記手段は、ＬＮＡ利得を変更すること、直線性を高めること、受信時刻を再スケジューリングすること、受信モードをオフに切り替えること、または干渉に対する受信モード感度を変更することのうちの１つまたは複数を実行する、請求項７０に記載の移動体端末。
【請求項７２】
移動体端末内の複数のＲＦモジュール間の調停をするように構成されているＲＦアクティビティ掲示板で伝送アクティビティに関連する通知を受け取るプログラムコードと、
前記通知を中継するために前記複数のＲＦモジュールのうちの少なくとも１つを判定するプログラムコードと、
前記複数のＲＦモジュールのうちの少なくとも１つに前記通知を中継するプログラムコードと、ここで、前記複数のＲＦモジュールの前記少なくとも１つが、フィルタの基準に合格する通知だけが前記ＲＦモジュールに中継されるように、通知のための前記基準を構成する前記フィルタを提供する、
前記複数のＲＦモジュールのリストを維持させるプログラムコードと
を備えている方法を少なくとも１つのコンピュータによって実行されると方法を実施するプログラムコードをその上に含む非一時的なコンピュータ可読記録媒体。
【請求項７３】
前記複数のＲＦモジュールのリストを維持するプログラムコードをさらに備える、請求項７２に記載の非一時的なコンピュータ可読記録媒体。
【請求項７４】
前記リストは、前記複数のＲＦモジュールのそれぞれに関する通知に関する判断基準を備え、前記判断基準は、テクノロジタイプ、伝送開始時刻、伝送終了時刻、伝送の持続時間、伝送電力レベル、または伝送周波数帯というパラメータのうちの１つまたは複数を備える、請求項７３に記載の非一時的なコンピュータ可読記録媒体。
【請求項７５】
前記通知を前記複数のＲＦモジュールのそれぞれに関する前記判断基準と比較するプログラムコードをさらに備える、請求項７４に記載の非一時的なコンピュータ可読記録媒体。
【請求項７６】
前記通知は、テクノロジタイプ、伝送開始時刻、伝送終了時刻、伝送の持続時間、伝送電力レベル、または伝送周波数帯というパラメータのうちの１つまたは複数を備える、請求項７２に記載の非一時的なコンピュータ可読記録媒体。
【請求項７７】
中継された前記通知を受け取るプログラムコードと、中継された前記通知に反応するプログラムコードとをさらに備える、請求項７２に記載の非一時的なコンピュータ可読記録媒体。
【発明の詳細な説明】
【技術分野】
【０００１】
本開示は、全般的には無線周波数（ＲＦ）モジュールアクティビティの同期の装置および方法に関する。より具体的には、本開示は、ＲＦモジュールの伝送および受信の同期に関する。
【背景技術】
【０００２】
現代のセルラデバイスおよび無線デバイスは、それぞれがそれ自体のＲＦモジュールを有するさまざまな無線テクノロジを使用する多数の受信機および送信機を含む場合がある。これらの無線テクノロジは、符号分割多元接続（ＣＤＭＡ）、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）、無線ローカルエリアネットワーク（ＷＬＡＮ）、ＢｌｕｅＴｏｏｔｈ（登録商標）、ＷｉＭＡＸ（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ）、放送ＴＶ、全地球測位システム（ＧＰＳ）などを含む。そのような受信機のそれぞれは、別のテクノロジのＲＦモジュールからの同時伝送から生じる干渉に起因して劣化した性能を有する場合がある。ＲＦアクティビティの同期がなければ、ＲＦモジュールは、それぞれが独立に動作し、互いに干渉する確率を高める。さらに、２つのＲＦモジュールが同時に伝送する場合には、それらが、受信機で互いに干渉しまたは互いを妨害する場合がある。さらに、送信機が同時に伝送する場合に、ピーク集計エネルギ需要が、電池および電力系に高い負荷を課す場合がある。その代わりに、電力レベルが低下し、伝送障害を引き起こす場合がある。
【０００３】
以前には、２つの密接に関連する無線テクノロジと互換のいくつかの解決策が提供された。しかし、以前の解決策は、２つの密接に関連する無線テクノロジに限定され、すべての無線テクノロジに関する完全な解決策を提供しない。１つの以前の解決策は、テクノロジの間のリンケージを作成するが、スケーラブルではなく、維持可能ではない。他の以前の解決策は、妨害器検出器（jammer detector）を必要とするか、内部妨害器を克服するのにより多くの電力を消費する。
【発明の概要】
【０００４】
開示されるのは、無線周波数（ＲＦ）モジュールアクティビティ、特にＲＦ伝送およびＲＦ受信に関する同期の装置および方法である。
【０００５】
一態様によれば、ＲＦアクティビティを同期化する方法は、伝送アクティビティに関連する通知を受け取ることと、通知を中継するために複数のＲＦモジュールのうちの少なくとも１つを判定することと、複数のＲＦモジュールのうちの少なくとも１つに通知を中継することとを備える。
【０００６】
別の態様によれば、ＲＦアクティビティを同期化するための特徴を有する移動体端末は、複数のＲＦモジュールと、ＲＦアクティビティ掲示板であって、ＲＦアクティビティ掲示板は、伝送アクティビティに関連する通知を受け取り、通知を中継するために複数のＲＦモジュールのうちの少なくとも１つを判定し、複数のＲＦモジュールのうちの少なくとも１つに通知を中継する、ＲＦアクティビティ掲示板とを備える。
【０００７】
別の態様によれば、ＲＦアクティビティを同期化する特徴を有する移動体端末は、プロセッサおよびメモリを備え、ここで前記メモリは、伝送アクティビティに関連する通知を受け取ることと、通知を中継するために複数のＲＦモジュールのうちの少なくとも１つを判定することと、複数のＲＦモジュールのうちの少なくとも１つに通知を中継することとを実行するためにプロセッサによって実行可能なプログラムコードを含む。
【０００８】
別の態様によれば、ＲＦアクティビティを同期化する特徴を有する移動体端末は、伝送アクティビティに関連する通知を受け取るための手段と、通知を中継するために複数のＲＦモジュールのうちの少なくとも１つを判定するための手段と、複数のＲＦモジュールのうちの少なくとも１つに通知を中継するための手段とを備える。
【０００９】
別の態様によれば、方法を実施するプログラムコードをその上に含む、コンピュータ可読媒体は、少なくとも１つのコンピュータによって実行される時に、伝送アクティビティに関連する通知を受け取るプログラムコードと、通知を中継するために複数のＲＦモジュールのうちの少なくとも１つを判定するプログラムコードと、複数のＲＦモジュールのうちの少なくとも１つに通知を中継するプログラムコードとを備える。
【００１０】
本開示は、内部ＲＦモジュール互換性問題を克服するか最小にする。利益は、すべてのテクノロジにまたがる（テクノロジの対の間だけではなく）高められた並列性性能、より単純でよりスケーラブルなアーキテクチャ、ターゲットの間での移植におけるより少ない保守、テクノロジの間の依存性がないこと、妨害器補償の必要がないこと（より単純でよりコスト効率のよい設計を可能にする）、受信機がより非線形であることを可能にすることによるよりよい電力消費、より一体化された解決策、ピークエネルギに関する減らされた電池需要、他のＲＦモジュールとの改善された並列性のための伝送の延期、その他を含む。短く言うと、本開示は、すべてのＲＦテクノロジに関する全体論的互換性解決策を提供する。
【００１１】
他の態様が、次の詳細な説明から当業者にすぐに明白になり、次の詳細な説明では、さまざまな概要が例として示され、説明されることを理解されたい。図面および詳細な説明は、性質において例示的であって制限的ではないものとみなされなければならない。
【図面の簡単な説明】
【００１２】
【図１】それぞれが専用アンテナを有する複数のＲＦモジュールを有する単一の移動体端末を備える無線通信システムの例を示す図。
【図２】複数のＲＦモジュールおよび１つのＲＦアクティビティ掲示板（RF activity bulletin board）を有する単一の移動体端末を備える無線通信システムの例を示す図。
【図３】ディジタルＴＶ受像機の例を示す図。
【図４】ＲＦモジュールアクティビティの同期化の例の流れ図。
【図５】送信機から受信機へのユースケースを示す例の流れ図。
【図６】図５に示されたユースケースの例のシーケンス図。
【図７】第１送信機から第２送信機へのユースケースを示す例の流れ図。
【図８】受信機から送信機へのユースケースを示す例の流れ図。
【図９】ＲＦモジュールアクティビティの同期を実行するためにメモリと通信するプロセッサを備えるデバイスの例を示す図。
【図１０】ＲＦモジュールアクティビティを同期化する特徴を有するデバイスの例を示す図。
【発明を実施するための形態】
【００１３】
添付図面に関連して下に示された詳細な説明は、本開示のさまざまな態様の説明として意図され、本開示を実践でき得る態様のみを表すことは意図されていない。本開示で説明される各態様は、単に、本開示の例または実例として提供され、必ず他の態様に対して好ましいまたは有利と解釈されてはならない。詳細な説明は、本開示の完全な理解を提供するために特定の詳細を含む。しかし、本開示をこれらの特定の詳細なしで実践でき得ることは、当業者には明白であろう。いくつかの場合に、周知の構造およびデバイスは、本開示の概念を不明瞭にすることを避けるために、ブロック図形式で示される。頭字語および他の記述的用語法は、単に便宜および明瞭さのために使用される場合があり、本開示の範囲を限定することは意図されていない。
【００１４】
説明の単純さのために、プロセスまたは方法論は、一連の行為として図示され、説明されるが、１つまたは複数の態様によれば、一部の行為が、図示され本明細書で説明されるものとは異なる順序でおよび／または他の行為と同時に発生し得るので、これらのプロセスまたは方法論が、行為の順序によって限定されないことを理解し、了解されたい。たとえば、当業者は、プロセスまたは方法論を、その代わりに、状態図など、一連の相互に関連する状態またはイベントとして表すことができることを理解し、了解するであろう。さらに、図示のすべての行為が、１つまたは複数の態様によるプロセスまたは方法論を実施するのに必要とは限らない。
【００１５】
図１に、それぞれが専用アンテナを有する複数のＲＦモジュールを有する単一の移動体端末１００を備える無線通信システムの例を示す。一例では、複数のＲＦモジュールは、単一のプリント回路基板（ＰＣＢ）上で同一位置に置かれる。図１に示されているＲＦモジュールは、Ｂｌｕｅｔｏｏｔｈ、全地球測位システム（ＧＰＳ）、ＮＦＣ（Ｎｅａｒ  Ｆｉｅｌｄ  Ｃｏｍｍｕｎｉｃａｔｉｏｎｓ）、符号分割多元接続／Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ／Ｇｌｏｂａｌ  Ｓｙｓｔｅｍ  ｆｏｒ  Ｍｏｂｉｌｅ  ｃｏｍｍｕｎｉｃａｔｉｏｎｓ（ＣＤＭＡ／ＵＭＴＳ／ＧＳＭ（登録商標））、Ｅｖｏｌｕｔｉｏｎ  Ｄａｔａ  Ｏｐｔｉｍｉｚｅｄ／Ｈｉｇｈ  Ｓｐｅｅｄ  Ｐａｃｋｅｔ  Ａｃｃｅｓｓ（ＥＶＤＯ／ＨＳＰＡ）、Ｗｉ−Ｆｉ（商標）、Ｕｌｔｒａ  Ｗｉｄｅ  Ｂａｎｄ（ＵＷＢ）、ディジタルＴＶ、ＦＭラジオ、およびＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）である。移動体端末１００内では、これらの複数のＲＦモジュールの同時互換動作が要求される。メッシュアーキテクチャは、スケーラブルではなく、むずかしいインターフェース要件を有し、より多くのＮＲＥ（ｎｏｎ−ｒｅｃｕｒｒｉｎｇ  ｅｘｐｅｎｓｅ）および／またはより長いタイムトゥマーケット（ＴＴＭ）などを有するので、不利である。たとえば、メッシュアーキテクチャでは、追加のＲＦモジュールを追加することが、メッシュ全体の維持すなわち、新しいＲＦモジュールから既存ＲＦモジュールのそれぞれへの新しい接続を必要とするはずである。図１は、各ＲＦモジュールが専用アンテナ（１つまたは複数）を有することを示すが、当業者は、一部のＲＦモジュールが、本開示の趣旨または範囲に影響せずに同一のアンテナ（１つまたは複数）を共用でき得ることを理解するであろう。
【００１６】
図２は、複数のＲＦモジュール２２０ａ、２２０ｂ、２２０ｃ、２２０ｄ、および２２０ｅならびにＲＦアクティビティ掲示板２１０を有する単一移動体端末２００を備える無線通信システムの例を示す。一例では、複数のＲＦモジュールは、単一のプリント回路基板（ＰＣＢ）上で同一位置に置かれる。ＲＦアクティビティ掲示板２１０は、ＲＦモジュールと同一のＰＣＢ上で同一位置に置かれても置かれなくてもよい。図２に示されたＲＦモジュール２２０ａ、２２０ｂ、２２０ｃ、２２０ｄ、および２２０ｅの例は、ＵＭＴＳ、ＣＤＭＡ、ＷＬＡＮ、移動体ＴＶ（またはディジタルＴＶ）、およびＧＰＳを含む。当業者は、図２に示されたＲＦモジュールが、単に例であり、本開示の範囲および趣旨に影響せずに、他のタイプおよび量のＲＦモジュールを含めることができ得ることおよび／または図示のＲＦモジュールのうちの１つまたは複数を除外でき得ることを理解するであろう。
【００１７】
図２に示されているように、各ＲＦモジュールは、受信機（ＲＸ）２４０ａ、２４０ｂ、２４０ｃ、２４０ｄ、および２４０ｅならびに／または送信機（ＴＸ）２３０ａ、２３０ｂ、および２３０ｃを含むことができ得る。ＲＦアクティビティ掲示板２１０は、移動体端末２００内のすべてのＲＦモジュールの間の仲介物（mediator）として働く。一例では、ＲＦアクティビティ掲示板２１０は、移動体端末２００内のＲＦモジュールのうちの１つから他のＲＦモジュールのうちの１つまたは複数へ通知を送る。たとえば、送信機２３０ａ、２３０ｂ、および２３０ｃのうちの１つからの通知が、そのような情報について登録された、受信機２４０ａ、２４０ｂ、２４０ｃ、２４０ｄ、および２４０ｅのうちの１つまたは複数ならびに／あるいは他の送信機のうちの１つまたは複数に送られる。仲介物として働いて、ＲＦアクティビティ掲示板２１０は、ＲＦモジュールがもはや互いに直接に通信する必要がなくなるので、ＲＦモジュールの間の依存性を分断する。具体的に言うと、異なるＲＦモジュールのハードウェアレジスタは、ＲＦアクティビティ掲示板を有することによって分断される。別の態様では、異なるＲＦモジュールのソフトウェア（たとえば、ソフトウェア関数呼出し）が、ＲＦアクティビティ掲示板を有することによって分断される。直接のテクノロジ間相互作用およびＲＦアクティビティ同期の実施がない状態で、干渉が最小化される。一態様では、ＲＦアクティビティ掲示板２１０は、来るべき伝送に関する通知を送出するためおよびＲＦモジュールが通知を受信するための判断基準を定義することを可能にするために、２つのアプリケーションプログラミングインターフェース（ＡＰＩ）関数を有するシングルトンである。
【００１８】
通知が受信機によって受け取られる時に、その通知を、他の情報を受信するための容量を保存しながら干渉に対する感度を下げるのに使用することができる。そのような通知がなければ、受信機は、たとえば、干渉に起因してデータを受信する能力を失う可能性がある。ＲＦアクティビティ掲示板２１０は、移動体端末２００内のＲＦモジュールのそれぞれがそのＲＦアクティビティの通知をポストすることを可能にする。ＲＦモジュールのそれぞれは、通知を受け取るためにＲＦアクティビティ掲示板２１０にサブスクライブする。さらに、各ＲＦモジュールは、特定のタイプのＲＦアクティビティについて通知を受けるためにサブスクライブすることができる。このサブスクリプションの一部として、各ＲＦモジュールは、フィルタの判断基準に合格する通知だけがそのＲＦモジュールに中継されるように、フィルタを提供することができる。フィルタを提供することによって、通知が関連するＲＦモジュールだけに制限されるので、ＲＦアクティビティ掲示板２１０の電力消費が減らされる。一態様では、ＲＦアクティビティ掲示板２１０は、移動体端末２００のプロセッサによって実施される。代替案では、ＲＦアクティビティ掲示板２１０は、それ自体の専用プロセッサによって実施される。フィルタを提供することによって、プロセッサの電力消費が減らされる。フィルタの判断基準は、テクノロジのタイプ、伝送開始時刻、伝送終了時刻、伝送の持続時間、伝送電力レベル、伝送周波数帯などのパラメータのうちの１つまたは複数を含む。当業者は、本明細書でリストされたパラメータが、例としてのみ働くことと、他のパラメータを、本開示の範囲および趣旨に影響せずに含めることができ得ることとを理解するであろう。
【００１９】
たとえば、ＲＦモジュール内の送信機は、伝送しようとしている時に、そのテクノロジ（たとえば、ＣＤＭＡ）、その伝送電力および／または周波数帯をＲＦアクティビティ掲示板２１０に通知することができる。送信機から通知を受け取る時に、ＲＦアクティビティ掲示板２１０は、受信機および／または送信機がその特定のタイプの通知についてサブスクライブしたかどうかをチェックする。一態様では、受信機／送信機のそれぞれは、ＲＦアクティビティ掲示板２１０にフィルタを提供する。このフィルタは、通知の判断基準を含む。特定の通知が、フィルタの判断基準に合格する場合には、そのフィルタに対応する受信機／送信機は、その通知を受け取ることを望む。次に、ＲＦアクティビティ掲示板２１０は、フィルタ判断基準に合格した通知を受信機および／または送信機に送る。たとえば、ある受信機が、ある周波数帯でのみ受信する。この受信機のフィルタ判断基準には、その１つの周波数帯がセットされる。したがって、送信機が異なる周波数帯で伝送しようとしていることの通知は、その受信機のフィルタの判断基準に合格しない。したがって、この場合に、ＲＦアクティビティ掲示板２１０は、その通知をこの特定の受信機に送らない。
【００２０】
通知が受信機および／または送信機によって受け取られた後に、適切なアクションを行うことができる。たとえば、受信機は、低雑音増幅器（ＬＮＡ）利得を変更し、その線形範囲を増やし、ノッチフィルタを活性化し、かつ／またはその受信時間／アクティビティを再スケジューリングするなどを行うことができ得る。適切なアクションの判断は、通知の受信側の中に存在する。
【００２１】
図３に、ＲＦモジュール（図示せず）の一部とすることができるディジタルＴＶ受像機３００の例を示す。この例では、ディジタルＴＶ受像機３００の受信モードは、改善されたＳＮ比（ＳＮＲ）および実質的により低い電力消費を有して設計される。しかし、この受信モード設計の短所は、他のＲＦ伝送に対する高いＲＦ感度（すなわち、干渉に対するより多くの脆弱性）を含む。この例では、ＲＦアクティビティ掲示板は、その通知を介して、ディジタルＴＶ受像機３００が、その改善された受信モードから利益を得ることと、適切な時に他の伝送干渉からそれ自体を保護するのに必要なアクションを行うこととを可能にする。この通知を受け取る時に、ディジタルＴＶ受像機は、たとえば、他の送信機による予想される伝送に対処するために、その受信モードを変更することができる。
【００２２】
ＲＦアクティビティ掲示板は、ハードウェア、ファームウェア、ソフトウェア、またはその組合せで実施することができ得る。一態様では、ＲＦアクティビティ掲示板は、本明細書で言及する次の特性のうちの１つまたは複数を含む。ＲＦアクティビティ掲示板は、すべてのテクノロジと難無く互換である共通のソフトウェア、ファームウェア、またはハードウェア上で動作する。ＲＦアクティビティ掲示板は、すべてのテクノロジによって難無くアクセス可能である共通のソフトウェア、ファームウェア、またはハードウェア上で動作する。一態様では、共通のソフトウェア、ファームウェア、またはハードウェアは、一時的接続中にサードパーティモジュールによって一時的にアクセス可能である。ＲＦアクティビティ掲示板のソフトウェア、ファームウェア、またはハードウェアは、すべてのテクノロジから通知を受け取り、すべてのテクノロジに通知を送ることができるようにするために、すべてのテクノロジへのアクセスを得る能力を有する。ＲＦアクティビティ掲示板のソフトウェア、ファームウェア、またはハードウェアは、高速かつ単純であり、遅延なしでの通知の受取および送出を可能にするために高い優先順位で動作する。一態様では、ＲＦアクティビティ掲示板は、より高速の応答のためにそれ自体のプロセッサを含む。
【００２３】
図４は、ＲＦモジュールアクティビティの同期化の例の流れ図である。ブロック４１０で、ＲＦアクティビティ掲示板は、ＲＦモジュール（別名「登録済みＲＦモジュール」）のリストを維持することによって開始する。各ＲＦモジュールは、通知に関する判断基準の組をセットすることができる。たとえば、あるＲＦモジュールが、ある電力レベルを超える伝送および／または特定の周波数帯での伝送について通知されることにのみ関心を持つ場合がある。登録済みＲＦモジュールのリストができた後に、ＲＦアクティビティ掲示板は、待機する。ブロック４２０で、ＲＦアクティビティ掲示板は、ＲＦモジュールのうちの１つから伝送に関する通知を受け取る。この通知の構造は、テクノロジのタイプ、伝送開始時刻、伝送終了時刻、伝送の持続時間、伝送電力レベル、伝送周波数帯などのパラメータのうちの１つまたは複数を含む。当業者は、本明細書でリストされたパラメータが、例としてのみ働くことと、他のパラメータを、本開示の範囲および趣旨に影響せずに含めることができ得、あるいは、本明細書でリストされたパラメータの一部を除外でき得ることとを理解するであろう。
【００２４】
ブロック４２０に続いて、ブロック４３０では、ＲＦアクティビティ掲示板は、通知をリスト内の登録済みＲＦモジュールのそれぞれからの通知に関する判断基準と比較する。この比較に基づいて、ブロック４４０では、ＲＦアクティビティ掲示板は、登録済みＲＦモジュールのうちのどれがその通知を受け取るべきかを判定する。一態様では、登録済みＲＦモジュールのそれぞれは、ＲＦアクティビティ掲示板にフィルタを先験的に供給する。通知がフィルタの判断基準に合格する場合には、その通知は、関連するＲＦモジュールに中継される。登録済みＲＦモジュールのうちのどれが通知を受け取るべきかを判定した後に、ＲＦアクティビティ掲示板は、ブロック４５０で、これらの登録済みＲＦモジュールのそれぞれに通知を中継する。必要な場合には、フィルタの判断基準に応じて、通知をＲＦモジュール内の受信機と送信機との両方または一方だけに中継することができ得る。ブロック４６０では、ＲＦモジュールが、通知を受け取る。ブロック４７０では、ＲＦモジュールは、受け取られた通知に基づいて適切なアクションを行う、すなわち、ＲＦモジュールは、通知に反応する。たとえば、ＲＦモジュールは、他のＲＦモジュールによる伝送中にその受信モードをオフに切り替える。別の例では、ＲＦモジュールは、伝送からの干渉を減らすために、その受信モードの感度を変更する。当業者は、与えられた例が、排他的であることを意図されておらず、本明細書で言及されない多数のアクションを、本開示の範囲および趣旨に影響せずにＲＦモジュールによって適切に行えることを理解するであろう。
【００２５】
より一般的なユースケースの１つは、第１ＲＦモジュール内の送信機が、その計画された伝送アクティビティを通知し、第２ＲＦモジュール内の受信機が、その通知に反応することである。図５は、送信機から受信機へのユースケースを示す例の流れ図である。ブロック５１０では、第１ＲＦモジュール内の送信機が、伝送アクティビティの通知をＲＦアクティビティ掲示板に送る。ブロック５２０では、ＲＦアクティビティ掲示板が、その通知を第２ＲＦモジュール内の受信機に中継する。ブロック５３０では、通知の受取時に、受信機が通知に反応する。受信機がどのように反応するかの例は、予想される伝送に起因する既知のスパー（spur）に対するノッチフィルタを構成する、受信機内の低雑音増幅器（ＬＮＡ）利得を変更する、直線性を高める、かつ／または受信機受信時間を再スケジューリングするなどのうちの１つまたは複数を含む。当業者は、本明細書で与えられる例が、排他的なリストであることを意図されておらず、本開示の範囲および趣旨に影響せずに、他の例を含めることができ得、あるいは本明細書で言及される例を除外でき得ることを理解するであろう。
【００２６】
図６は、図５に示されたユースケースの例のシーケンス図である。図６に示された例では、アクティブ送信機のそれぞれの伝送パラメータは、テクノロジのタイプ、伝送開始時刻、伝送終了時刻、伝送の持続時間、伝送電力レベル、伝送周波数帯などを含む。ＲＦモジュールのそれぞれ（その中に受信機および／または送信機を含むことができ得る）は、通知を受け取るためにＲＦアクティビティ掲示板に登録することができる。各ＲＦモジュール（あるいは、代替案では、その中の各受信機および／または各送信機）は、その通知に関する判断基準を有するフィルタを提供することができる。さらに、通知のパラメータがフィルタの判断基準に合格する場合に、通知がコールバック関数を使用してそのフィルタに対応するＲＦモジュール（またはその受信機および／または送信機）に中継されるように、コールバック関数が提供される。
【００２７】
別のユースケースでは、第１ＲＦモジュール内の送信機が、その計画された伝送アクティビティを通知し、第２ＲＦモジュール内の第２送信機が、その通知に反応する。図７は、第１送信機から第２送信機へのユースケースを示す例の流れ図である。ブロック７１０では、第１ＲＦモジュール内の第１送信機は、伝送アクティビティの通知をＲＦアクティビティ掲示板に送る。ブロック７２０では、ＲＦアクティビティ掲示板は、第２ＲＦモジュール内の第２送信機に通知を中継する。ブロック７３０では、通知の受取時に、第２送信機が、たとえば干渉を生じるのを避けるため、同時ピーク電流需要を減らすため、および／または同時ピーク電力消費を減らすため（すなわち、ピーク電力伝送がこれによって減らされる）などのためにその伝送アクティビティを再スケジューリングすることによって、通知に反応する。一態様では、「第２送信機」を、それぞれが１つのＲＦモジュール内の複数の送信機とすることができ得る。
【００２８】
別のユースケースでは、第１ＲＦモジュール内の受信機が、他のＲＦモジュール内の他の送信機がその伝送アクティビティを再スケジューリングすることを要求するために、その計画された受信アクティビティを通知する。図８は、受信機から送信機へのユースケースを示す例の流れ図である。ブロック８１０で、ＲＦモジュール内の受信機は、１つまたは複数の送信機がその伝送アクティビティを再スケジューリングすることを要求する通知をＲＦアクティビティ掲示板に送る。一態様では、通知は、伝送アクティビティを伴わない定義されたクリーン期間（clean period）を含む。ブロック８２０では、ＲＦアクティビティ掲示板は、その通知を１つまたは複数の送信機に中継する。ブロック８３０では、通知の受取時に、送信機は、たとえば、その伝送アクティビティをクリーン期間から外れて（すなわちクリーン期間の持続時間中ではなく）再スケジューリングすることによって、または来るべき既知の伝送アクティビティの繰り上げられた通知を送ることによって、通知に反応する。
【００２９】
当業者は、本明細書で説明されるプロセスおよびモジュールを、ハードウェア、ファームウェア、ソフトウェア、またはその組合せなどのさまざまな形で実施でき得ることを理解するはずである。本明細書で説明されるさまざまな例示的な流れ図、論理ブロック、モジュール、および／または回路を、１つまたは複数のプロセッサを用いて実施しまたは実行することができ得る。一態様では、プロセッサは、本明細書で説明されるさまざまな流れ図、論理ブロック、モジュール、および／または回路を実施しまたは実行するためにプロセッサによって実行されるデータ、メタデータ、プログラム命令などを格納するメモリに結合される。図９に、ＲＦモジュールアクティビティの同期を実行するためにメモリ９２０と通信するプロセッサ９１０を備えるデバイス９００の例を示す。一例では、デバイス９００は、図４〜８に示されたプロセスを実施するのに使用される。一態様では、メモリ９２０は、プロセッサ９１０内に配置される。別の態様では、メモリ９２０は、プロセッサ９１０の外部にある。
【００３０】
プロセッサは、マイクロプロセッサなどの汎用プロセッサ、ディジタル信号プロセッサ（ＤＳＰ）などの特定用途向けプロセッサ、またはソフトウェアをサポートできる任意の他のハードウェアプラットフォームとすることができ得る。ソフトウェアは、ソフトウェア、ファームウェア、ミドルウェア、マイクロコード、もしくは任意の他の用語法のどれで呼ばれるものであれ、命令、データ構造、またはプログラムコードの任意の組合せを意味すると広義に解釈されなければならない。その代わりに、プロセッサを、特定用途向け集積回路（ＡＳＩＣ）、プログラマブル論理デバイス（ＰＬＤ）、フィールドプログラマブルゲートアレイ（ＦＰＧＡ）、コントローラ、マイクロコントローラ、状態機械、ディスクリートハードウェアコンポーネントの組合せ、またはこれらの任意の組合せとすることができ得る。ソフトウェアを用いると、実施態様を、本明細書で説明される機能を実行するモジュール（たとえば、プロシージャ（手続き）、関数など）を介するものとすることができ得る。本明細書で説明されるさまざまな例示的な流れ図、論理ブロック、モジュール、および／または回路を、ソフトウェアコードによって実施することもでき得る。ソフトウェアコードを、メモリユニットに格納し、１つまたは複数のプロセッサによって実行することができ得る。本明細書で説明されるさまざまな例示的な流れ図、論理ブロック、モジュール、および／または回路は、ソフトウェアを格納するコンピュータ可読媒体を含むこともでき得る。コンピュータ可読媒体は、１つまたは複数のストレージデバイス、伝送路、またはデータ信号を符号化する搬送波を含むもでき得る。
【００３１】
図１０は、ＲＦモジュールアクティビティを同期化する特徴を有するデバイス１０００の例を示す。一態様では、デバイス１０００は、ブロック１０１０、１０２０、１０３０、１０４０、１０５０、１０６０、および１０７０内の、本明細書で説明されるＲＦモジュールアクティビティの同期化のさまざまな態様を提供するように構成された１つまたは複数のモジュールを備える少なくとも１つのプロセッサによって実施される。たとえば、各モジュールは、ハードウェア、ファームウェア、ソフトウェア、またはその任意の組合せを備える。一態様では、デバイス１０００は、少なくとも１つのプロセッサと通信する少なくとも１つのメモリによっても実施される。
【００３２】
当業者は、本明細書で説明される技法を、当技術分野で既知の任意のコンピュータ可読媒体上で担持されるコンピュータ可読命令としてコーディングすることもでき得ることを理解するはずである。本明細書および添付の特許請求の範囲では、用語「コンピュータ可読媒体」は、実行のための、図９に示され、説明されたプロセッサ９１０または図１０で説明されたプロセッサ（１つまたは複数）などであるがこれらに限定はされない任意のプロセッサへの命令の供給に参加するすべての媒体を指す。一態様では、そのような媒体は、ストレージ型であり、たとえば、図９のメモリ９２０または図１０で説明されたメモリなど、揮発性または不揮発性の記憶媒体の形をとる。一態様では、そのような媒体は、伝送型であり、機械またはコンピュータによって可読の信号を担持できる音響波、電磁波、または光波を搬送する同軸ケーブル、銅ワイヤ、光ケーブル、およびエアインターフェースを含む。本開示では、信号を搬送する波は、特に識別されない限り、集合的に、光波、電磁波、および音響波を含む媒体波と呼ばれる。
【００３３】
開示された諸態様の前の説明は、当業者が本開示を作りまたは使用することを可能にするために提供されたものである。これらの態様に対するさまざまな変更は、当業者にすぐに明白になり、本明細書で定義される包括的原理は、本開示の趣旨または範囲から逸脱せずに、他の態様に適用され得る。
以下に、本願出願の当初の特許請求の範囲に記載された発明を付記する。
［１］  伝送アクティビティに関連する通知を受け取ることと、前記通知を中継するために複数のＲＦモジュールのうちの少なくとも１つを判定することと、前記複数のＲＦモジュールのうちの少なくとも１つに前記通知を中継することとを備える、ＲＦアクティビティを同期化する方法。
［２］  前記複数のＲＦモジュールのリストを維持することをさらに備える、［１］に記載の方法。
［３］  前記リストは、前記複数のＲＦモジュールのそれぞれに関する通知に関する判断基準を備える、［２］に記載の方法。
［４］  前記判断基準は、テクノロジタイプ、伝送開始時刻、伝送終了時刻、伝送の持続時間、伝送電力レベル、または伝送周波数帯というパラメータのうちの１つまたは複数を備える、［３］に記載の方法。
［５］  前記通知を前記複数のＲＦモジュールのそれぞれに関する前記判断基準と比較することをさらに備える、［３］に記載の方法。
［６］  前記判定するステップは、前記比較するステップからの比較結果を使用することを備える、［４］に記載の方法。
［７］  前記複数のＲＦモジュールのうちの少なくとも１つは、通知に関する判断基準を備えるフィルタを提供する、［１］に記載の方法。
［８］  前記通知は、テクノロジタイプ、伝送開始時刻、伝送終了時刻、伝送の持続時間、伝送電力レベル、または伝送周波数帯というパラメータのうちの１つまたは複数を備える、［１］に記載の方法。
［９］  中継された前記通知を受け取ることと、中継された前記通知に反応することとをさらに備える、［１］に記載の方法。
［１０］  前記反応するステップは、ＬＮＡ利得を変更すること、直線性を高めること、受信時刻を再スケジューリングすること、受信モードをオフに切り替えること、または干渉に対する受信モード感度を変更することのうちの１つまたは複数を備える、［９］に記載の方法。
［１１］  前記複数のＲＦモジュールのうちの少なくとも１つは、受信機を備え、前記複数のＲＦモジュールのうちの他の少なくとも１つは、送信機を備える、［９］に記載の方法。
［１２］  前記送信機は、前記通知を生成する、［１１］に記載の方法。
［１３］  前記受信機は、前記通知を受け取り、前記通知に反応する、［１２］に記載の方法。
［１４］  前記受信機は、低雑音増幅器（ＬＮＡ）利得を変更する、直線性を高める、ノッチフィルタを活性化する、受信時刻を再スケジューリングする、受信モードをオフに切り替える、または干渉に対する受信モード感度を変更するのうちの１つまたは複数によって前記通知に反応する、［１３］に記載の方法。
［１５］  前記受信機は、前記通知を生成し、前記通知は、伝送アクティビティを伴わないクリーン期間の要求を備える、［１１］に記載の方法。
［１６］  前記送信機は、前記通知を受け取り、前記クリーン期間の持続時間中以外にその伝送アクティビティをスケジューリングすることまたは来るべき既知の伝送アクティビティの繰上通知を送出することによって前記通知に反応する、［１５］に記載の方法。
［１７］  前記複数のＲＦモジュールのうちの少なくとも１つは、第１送信機を備え、前記複数のＲＦモジュールのうちの他の少なくとも１つは、第２送信機を備える、［９］に記載の方法。
［１８］  前記第１送信機は、前記通知を生成する、［１７］に記載の方法。
［１９］  前記第２送信機は、前記通知を受け取り、その伝送アクティビティを再スケジューリングすることまたはそのピーク電力消費を減らすことによって前記通知に反応する、［１８］に記載の方法。
［２０］  前記複数のＲＦモジュールのうちの少なくとも１つは、Ｂｌｕｅｔｏｏｔｈ、全地球測位システム（ＧＰＳ）、Ｎｅａｒ  Ｆｉｅｌｄ  Ｃｏｍｍｕｎｉｃａｔｉｏｎｓ（ＮＦＣ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ（ＵＭＴＳ）、符号分割多元接続（ＣＤＭＡ）、符号分割多元接続／Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ／Ｇｌｏｂａｌ  Ｓｙｓｔｅｍ  ｆｏｒ  Ｍｏｂｉｌｅ  ｃｏｍｍｕｎｉｃａｔｉｏｎｓ（ＣＤＭＡ／ＵＭＴＳ／ＧＳＭ）、Ｅｖｏｌｕｔｉｏｎ  Ｄａｔａ  Ｏｐｔｉｍｉｚｅｄ／Ｈｉｇｈ  Ｓｐｅｅｄ  Ｐａｃｋｅｔ  Ａｃｃｅｓｓ（ＥＶＤＯ／ＨＳＰＡ）、Ｗｉ−Ｆｉ（商標）、Ｕｌｔｒａ  Ｗｉｄｅ  Ｂａｎｄ（ＵＷＢ）、ディジタルＴＶ、ＦＭラジオ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、または無線ローカルエリアネットワーク（ＷＬＡＮ）というテクノロジのうちの１つまたは複数を使用する、［１］に記載の方法。
［２１］  前記複数のＲＦモジュールは、単一のプリント回路基板（ＰＣＢ）内で同一位置に置かれる、［１］に記載の方法。
［２２］  ＲＦアクティビティ掲示板は、前記単一のプリント回路基板（ＰＣＢ）内で前記複数のＲＦモジュールと共に同一位置に置かれる、［２１］に記載の方法。
［２３］  ＲＦアクティビティ掲示板は、専用プロセッサを備える、［１］に記載の方法。
［２４］  複数のＲＦモジュールと、
ＲＦアクティビティ掲示板であって、前記ＲＦアクティビティ掲示板は、伝送アクティビティに関連する通知を受け取り、前記通知を中継するために前記複数のＲＦモジュールのうちの少なくとも１つを判定し、前記複数のＲＦモジュールのうちの少なくとも１つに前記通知を中継する、ＲＦアクティビティ掲示板と
を備える、ＲＦアクティビティを同期化するための特徴を有する移動体端末。
［２５］  前記ＲＦアクティビティ掲示板は、前記複数のＲＦモジュールのリストを維持する、［２４］に記載の移動体端末。
［２６］  前記リストは、前記複数のＲＦモジュールのそれぞれに関する通知に関する判断基準を備える、［２５］に記載の移動体端末。
［２７］  前記判断基準は、テクノロジタイプ、伝送開始時刻、伝送終了時刻、伝送の持続時間、伝送電力レベル、または伝送周波数帯というパラメータのうちの１つまたは複数を備える、［２６］に記載の移動体端末。
［２８］  前記ＲＦアクティビティ掲示板は、前記通知を前記複数のＲＦモジュールのそれぞれに関する前記判断基準と比較する、［２６］に記載の移動体端末。
［２９］  前記ＲＦアクティビティ掲示板は、前記通知を中継するために前記複数のＲＦモジュールのうちの少なくとも１つを判定する際に、前記通知と前記判断基準との比較結果を使用する、［２８］に記載の移動体端末。
［３０］  前記複数のＲＦモジュールのうちの少なくとも１つは、通知に関する判断基準を備えるフィルタを提供する、［２４］に記載の移動体端末。
［３１］  前記通知は、テクノロジタイプ、伝送開始時刻、伝送終了時刻、伝送の持続時間、伝送電力レベル、または伝送周波数帯というパラメータのうちの１つまたは複数を備える、［２４］に記載の移動体端末。
［３２］  前記複数のＲＦモジュールのうちの１つは、中継された前記通知を受け取り、中継された前記通知に反応する、［２４］に記載の移動体端末。
［３３］  前記複数のＲＦモジュールのうちの１つは、中継された前記通知を受け取る受信機を備え、前記複数のＲＦモジュールのうちの別の１つは、送信機を備える、［２４］に記載の移動体端末。
［３４］  前記送信機は、前記通知を生成する、［３３］に記載の移動体端末。
［３５］  前記受信機は、低雑音増幅器（ＬＮＡ）利得を変更する、直線性を高める、ノッチフィルタを活性化する、受信時刻を再スケジューリングする、受信モードをオフに切り替える、または干渉に対する受信モード感度を変更するのうちの１つまたは複数によって前記通知に反応する、［３４］に記載の移動体端末。
［３６］  前記複数のＲＦモジュールのうちの１つは、受信機を備え、前記複数のＲＦモジュールのうちの別の１つは、送信機を備える、［２４］に記載の移動体端末。
［３７］  前記受信機は、前記通知を生成し、前記通知は、伝送アクティビティを伴わないクリーン期間の要求を備える、［３６］に記載の移動体端末。
［３８］  前記送信機は、前記通知を受け取り、前記クリーン期間の持続時間中以外にその伝送アクティビティをスケジューリングすることまたは来るべき既知の伝送アクティビティの繰上通知を送出することによって前記通知に反応する、［３７］に記載の移動体端末。
［３９］  前記複数のＲＦモジュールのうちの１つは、第１送信機を備え、前記複数のＲＦモジュールのうちの別の１つは、第２送信機を備える、［２４］に記載の移動体端末。
［４０］  前記第１送信機は、前記通知を生成する、［３９］に記載の移動体端末。
［４１］  前記第２送信機は、前記通知を受け取り、その伝送アクティビティを再スケジューリングすることまたはそのピーク電力消費を減らすことによって前記通知に反応する、［４０］に記載の移動体端末。
［４２］  前記複数のＲＦモジュールのうちの少なくとも１つは、Ｂｌｕｅｔｏｏｔｈ、全地球測位システム（ＧＰＳ）、Ｎｅａｒ  Ｆｉｅｌｄ  Ｃｏｍｍｕｎｉｃａｔｉｏｎｓ（ＮＦＣ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ（ＵＭＴＳ）、符号分割多元接続（ＣＤＭＡ）、符号分割多元接続／Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ／Ｇｌｏｂａｌ  Ｓｙｓｔｅｍ  ｆｏｒ  Ｍｏｂｉｌｅ  ｃｏｍｍｕｎｉｃａｔｉｏｎｓ（ＣＤＭＡ／ＵＭＴＳ／ＧＳＭ）、Ｅｖｏｌｕｔｉｏｎ  Ｄａｔａ  Ｏｐｔｉｍｉｚｅｄ／Ｈｉｇｈ  Ｓｐｅｅｄ  Ｐａｃｋｅｔ  Ａｃｃｅｓｓ（ＥＶＤＯ／ＨＳＰＡ）、Ｗｉ−Ｆｉ（商標）、Ｕｌｔｒａ  Ｗｉｄｅ  Ｂａｎｄ（ＵＷＢ）、ディジタルＴＶ、ＦＭラジオ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、または無線ローカルエリアネットワーク（ＷＬＡＮ）というテクノロジのうちの１つまたは複数を使用する、［２４］に記載の移動体端末。
［４３］  前記複数のＲＦモジュールは、単一のプリント回路基板（ＰＣＢ）内で同一位置に置かれる、［２４］に記載の移動体端末。
［４４］  ＲＦアクティビティ掲示板は、前記単一のプリント回路基板（ＰＣＢ）内で前記複数のＲＦモジュールと共に同一位置に置かれる、［４３］に記載の移動体端末。
［４５］  ＲＦアクティビティ掲示板は、専用プロセッサを備える、［２４］に記載の移動体端末。
［４６］  プロセッサおよびメモリを備えるＲＦアクティビティを同期化する特徴を有する移動体端末であって、前記メモリは、伝送アクティビティに関連する通知を受け取ることと、前記通知を中継するために複数のＲＦモジュールのうちの少なくとも１つを判定することと、前記複数のＲＦモジュールのうちの少なくとも１つに前記通知を中継することとを実行するために前記プロセッサによって実行可能なプログラムコードを含む、移動体端末。
［４７］  前記メモリは、前記複数のＲＦモジュールのリストを維持するプログラムコードをさらに備える、［４６］に記載の移動体端末。
［４８］  前記リストは、前記複数のＲＦモジュールのそれぞれに関する通知に関する判断基準を備える、［４７］に記載の移動体端末。
［４９］  前記判断基準は、テクノロジタイプ、伝送開始時刻、伝送終了時刻、伝送の持続時間、伝送電力レベル、または伝送周波数帯というパラメータのうちの１つまたは複数を備える、［４８］に記載の移動体端末。
［５０］  前記メモリは、前記通知を前記複数のＲＦモジュールのそれぞれに関する前記判断基準と比較するプログラムコードをさらに備える、［４８］に記載の移動体端末。
［５１］  判定する前記プログラムコードは、比較結果を使用するプログラムコードをさらに備える、［５０］に記載の移動体端末。
［５２］  前記複数のＲＦモジュールのうちの少なくとも１つは、通知に関する判断基準を備えるフィルタを提供する、［４６］に記載の移動体端末。
［５３］  前記通知は、テクノロジタイプ、伝送開始時刻、伝送終了時刻、伝送の持続時間、伝送電力レベル、または伝送周波数帯というパラメータのうちの１つまたは複数を備える、［４６］に記載の移動体端末。
［５４］  前記メモリは、中継された前記通知を受け取るプログラムコードと、中継された前記通知に反応するプログラムコードとをさらに備える、［４６］に記載の移動体端末。
［５５］  反応する前記プログラムコードは、低雑音増幅器（ＬＮＡ）利得を変更すること、直線性を高めること、ノッチフィルタを活性化すること、受信時刻を再スケジューリングすること、受信モードをオフに切り替えること、または干渉に対する受信モード感度を変更することのうちの１つまたは複数のためのプログラムコードをさらに備える、［５４］に記載の移動体端末。
［５６］  前記複数のＲＦモジュールのうちの少なくとも１つは、受信機を備え、前記複数のＲＦモジュールのうちの他の少なくとも１つは、送信機を備える、［５４］に記載の移動体端末。
［５７］  前記送信機は、前記通知を生成する、［５６］に記載の移動体端末。
［５８］  前記受信機は、前記通知を受け取り、前記通知に反応する、［５７］に記載の移動体端末。
［５９］  前記受信機は、低雑音増幅器（ＬＮＡ）利得を変更する、直線性を高める、ノッチフィルタを活性化する、受信時刻を再スケジューリングする、受信モードをオフに切り替える、または干渉に対する受信モード感度を変更するのうちの１つまたは複数によって前記通知に反応する、［５８］に記載の移動体端末。
［６０］  前記受信機は、前記通知を生成し、前記通知は、伝送アクティビティを伴わないクリーン期間の要求を備える、［５６］に記載の移動体端末。
［６１］  前記送信機は、前記通知を受け取り、前記クリーン期間の持続時間中以外にその伝送アクティビティをスケジューリングすることまたは来るべき既知の伝送アクティビティの繰上通知を送出することによって前記通知に反応する、［６０］に記載の移動体端末。
［６２］  前記複数のＲＦモジュールのうちの少なくとも１つは、第１送信機を備え、前記複数のＲＦモジュールのうちの他の少なくとも１つは、第２送信機を備える、［５４］に記載の移動体端末。
［６３］  前記第１送信機は、前記通知を生成する、［６２］に記載の移動体端末。
［６４］  前記第２送信機は、前記通知を受け取り、その伝送アクティビティを再スケジューリングすることまたはそのピーク電力消費を減らすことによって前記通知に反応する、［６３］に記載の移動体端末。
［６５］  前記複数のＲＦモジュールのうちの少なくとも１つは、Ｂｌｕｅｔｏｏｔｈ、全地球測位システム（ＧＰＳ）、Ｎｅａｒ  Ｆｉｅｌｄ  Ｃｏｍｍｕｎｉｃａｔｉｏｎｓ（ＮＦＣ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ（ＵＭＴＳ）、符号分割多元接続（ＣＤＭＡ）、符号分割多元接続／Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ／Ｇｌｏｂａｌ  Ｓｙｓｔｅｍ  ｆｏｒ  Ｍｏｂｉｌｅ  ｃｏｍｍｕｎｉｃａｔｉｏｎｓ（ＣＤＭＡ／ＵＭＴＳ／ＧＳＭ）、Ｅｖｏｌｕｔｉｏｎ  Ｄａｔａ  Ｏｐｔｉｍｉｚｅｄ／Ｈｉｇｈ  Ｓｐｅｅｄ  Ｐａｃｋｅｔ  Ａｃｃｅｓｓ（ＥＶＤＯ／ＨＳＰＡ）、Ｗｉ−Ｆｉ（商標）、Ｕｌｔｒａ  Ｗｉｄｅ  Ｂａｎｄ（ＵＷＢ）、ディジタルＴＶ、ＦＭラジオ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、または無線ローカルエリアネットワーク（ＷＬＡＮ）というテクノロジのうちの１つまたは複数を使用する、［４６］に記載の移動体端末。
［６６］  前記複数のＲＦモジュールは、単一のプリント回路基板（ＰＣＢ）内で同一位置に置かれる、［４６］に記載の移動体端末。
［６７］  ＲＦアクティビティ掲示板は、前記単一のプリント回路基板（ＰＣＢ）内で前記複数のＲＦモジュールと共に同一位置に置かれる、［６６］に記載の移動体端末。
［６８］  ＲＦアクティビティ掲示板は、専用プロセッサを備える、［４６］に記載の移動体端末。
［６９］  伝送アクティビティに関連する通知を受け取るための手段と、前記通知を中継するために複数のＲＦモジュールのうちの少なくとも１つを判定するための手段と、前記複数のＲＦモジュールのうちの少なくとも１つに前記通知を中継するための手段とを備える、ＲＦアクティビティを同期化する特徴を有する移動体端末。
［７０］  前記複数のＲＦモジュールのリストを維持するための手段をさらに備える、［６９］に記載の移動体端末。
［７１］  前記リストは、前記複数のＲＦモジュールのそれぞれに関する通知に関する判断基準を備え、前記判断基準は、テクノロジタイプ、伝送開始時刻、伝送終了時刻、伝送の持続時間、伝送電力レベル、または伝送周波数帯というパラメータのうちの１つまたは複数を備える、［７０］に記載の移動体端末。
［７２］  前記通知を前記複数のＲＦモジュールのそれぞれに関する前記判断基準と比較するための手段をさらに備える、［７１］に記載の移動体端末。
［７３］  前記通知は、テクノロジタイプ、伝送開始時刻、伝送終了時刻、伝送の持続時間、伝送電力レベル、または伝送周波数帯というパラメータのうちの１つまたは複数を備える、［６９］に記載の移動体端末。
［７４］  中継された前記通知を受け取るための手段と、中継された前記通知に反応するための手段とをさらに備える、［６９］に記載の移動体端末。
［７５］  反応するための前記手段は、ＬＮＡ利得を変更すること、直線性を高めること、受信時刻を再スケジューリングすること、受信モードをオフに切り替えること、または干渉に対する受信モード感度を変更することのうちの１つまたは複数を実行する、［７４］に記載の移動体端末。
［７６］  少なくとも１つのコンピュータによって実行される時に、伝送アクティビティに関連する通知を受け取るプログラムコードと、前記通知を中継するために複数のＲＦモジュールのうちの少なくとも１つを判定するプログラムコードと、前記複数のＲＦモジュールのうちの少なくとも１つに前記通知を中継するプログラムコードとを備える、方法を実施するプログラムコードをその上に含む、コンピュータ可読媒体。
［７７］  前記複数のＲＦモジュールのリストを維持するプログラムコードをさらに備える、［７６］に記載のコンピュータ可読媒体。
［７８］  前記リストは、前記複数のＲＦモジュールのそれぞれに関する通知に関する判断基準を備え、前記判断基準は、テクノロジタイプ、伝送開始時刻、伝送終了時刻、伝送の持続時間、伝送電力レベル、または伝送周波数帯というパラメータのうちの１つまたは複数を備える、［７７］に記載のコンピュータ可読媒体。
［７９］  前記通知を前記複数のＲＦモジュールのそれぞれに関する前記判断基準と比較するプログラムコードをさらに備える、［７８］に記載のコンピュータ可読媒体。
［８０］  前記通知は、テクノロジタイプ、伝送開始時刻、伝送終了時刻、伝送の持続時間、伝送電力レベル、または伝送周波数帯というパラメータのうちの１つまたは複数を備える、［７６］に記載のコンピュータ可読媒体。
［８１］  中継された前記通知を受け取るプログラムコードと、中継された前記通知に反応するプログラムコードとをさらに備える、［７６］に記載のコンピュータ可読媒体。
【図１】
0005611944.tif 000002
【図２】
0005611944.tif 000003
【図３】
0005611944.tif 000004
【図４】
0005611944.tif 000005
【図５】
0005611944.tif 000006
【図６】
0005611944.tif 000007
【図７】
0005611944.tif 000008
【図８】
0005611944.tif 000009
【図９】
0005611944.tif 000010
【図１０】
0005611944.tif 000011